(57)【要約】      （修正有）【課題】電線が設けられた環境に応じて、測定項目を任意に選択することが可能な電線用センサ装置およびセンサを提供する。【解決手段】電線の周囲を囲むように環状に設けられ、電線の軸方向側の側面に複数の第１センサ接続部３３０ａが配置される第１フレーム部３００ａと、第１フレーム部側の側面に複数の第２センサ接続部３３０ｂが配置される第２フレーム部３００ｂと、電線の挙動を監視する挙動監視センサと、電線の周囲の環境データを測定する環境測定センサと、の少なくともいずれか１つであり、一端が第１フレーム部の複数の第１センサ接続部のそれぞれに着脱可能に接続され、他端が第２フレーム部の複数の第２センサ接続部のうち一端が接続された第１センサ接続部に対向する第２センサ接続部に着脱可能に接続されることにより、第１フレーム部および第２フレーム部によって挟持されるセンサ２００と、を有する。【選択図】図１
0003194296.tif 000002
【実用新案登録請求の範囲】
【請求項１】
電線の周囲を囲むように環状に設けられ、前記電線の軸方向側の側面に前記電線の周方向に沿って複数の第１センサ接続部が配置される第１フレーム部と、
前記電線の周囲を囲むように環状に設けられ、前記第１フレーム部から前記複数の第１センサ接続部側に離間して設けられ、前記第１フレーム部側の側面に前記複数の第１センサ接続部のそれぞれに対向する位置に複数の第２センサ接続部が配置される第２フレーム部と、
前記電線の挙動を監視する挙動監視センサと、前記電線の周囲の環境データを測定する環境測定センサと、の少なくともいずれか１つであり、一端が前記第１フレーム部の前記複数の第１センサ接続部のそれぞれの第１センサ接続部に着脱可能に接続され、他端が前記第２フレーム部の前記複数の第２センサ接続部のうち前記一端が接続された前記第１センサ接続部に対向する第２センサ接続部に着脱可能に接続されることにより、前記第１フレーム部および前記第２フレーム部によって挟持されるセンサと、
を有する
ことを特徴とする電線用センサ装置。
【請求項２】
前記挙動監視センサは、加速度センサ、および角速度センサの少なくともいずれかであり、
前記環境測定センサは、腐食センサ、および降雪センサの少なくともいずれかである
ことを特徴とする請求項１に記載の電線用センサ装置。
【請求項３】
前記電線の周囲を囲むように環状に設けられる磁性体からなるカレントトランスコアと、前記カレントトランスコアに巻回されるコイルと、を有し、前記電線からの前記コイルに対する電磁誘導によって電力を生じさせる電力供給部を有し、
前記電力供給部は、前記センサに接続され、前記センサに電力を供給する
ことを特徴とする請求項１または２に記載の電線用センサ装置。
【請求項４】
前記センサ設置部に設置可能な前記挙動監視センサおよび前記環境測定センサは、共通の形状で統一されている
ことを特徴とする請求項１〜３のいずれか１項に記載の電線用センサ装置。
【請求項５】
前記センサに接続され、当該センサが測定した情報を外部に送信する送信部を有する
ことを特徴とする請求項１〜４のいずれか１項に記載の電線用センサ装置。
【請求項６】
前記第１フレーム部および前記第２フレーム部のそれぞれは、前記電線の軸方向に沿って分割され、前記電線を挟持するように接合される
ことを特徴とする請求項１〜５のいずれか１項に記載の電線用センサ装置。
【請求項７】
前記第１フレーム部および前記第２フレーム部によって、前記加速度センサおよび前記角速度センサの少なくともいずれかとともに、前記降雪センサが挟持される
ことを特徴とする請求項１〜６のいずれか１項に記載の電線用センサ装置。
【請求項８】
請求項１〜７のいずれか１項に記載の電線用センサ装置に用いられる前記挙動監視センサおよび前記環境測定センサのいずれか１つである
ことを特徴とするセンサ。
【考案の詳細な説明】
【技術分野】
【０００１】
本考案は、電線用センサ装置およびセンサに関する。
【背景技術】
【０００２】
架空送電線では、電線が設けられた環境に応じて、様々な弊害が生じる可能性がある。例えば、氷雪が付着した電線に風が吹き付けられることにより電線が鉛直上下方向に大振幅且つ低周波で振動する現象、いわゆるギャロッピング振動などによって、電線が相互に接触し短絡する可能性がある。また、例えば、電線は、大気中の亜硫酸成分や硫黄成分などによって、腐食する可能性がある。
【０００３】
このような電線の振動や腐食状況等を把握するため、電線を定期的に監視する必要がある。そこで、電線の状態を測定するため、様々なセンサ装置等が開発されている（例えば、特許文献１〜５）。
【先行技術文献】
【特許文献】
【０００４】
【特許文献１】特開２００９−２９１０４６号公報
【特許文献２】特開２０１２−１３９０６６号公報
【特許文献３】特許４０７００１６号公報
【特許文献４】特開平５−１９１９０９号公報
【特許文献５】特開平７−３０１５５７号公報
【考案の概要】
【考案が解決しようとする課題】
【０００５】
電線において必要とされる測定項目は、電線が設けられた環境によって異なり、または電線が設けられた環境によって変化するため、電線が設けられた環境に応じて、電線の測定項目を追加したり変更したりすることがある。
【０００６】
しかしながら、電線の測定項目を追加するとき、新たに測定を行うためのセンサや、そのセンサに付随した回路基板を既存のセンサとは別に増設しなくてはならない可能性がある。また、電線の測定項目を変更するとき、既存のセンサを付け替えるだけではセンサを機能させることができず、変更後のセンサに付随した回路基板を変更する必要が生じる可能性がある。このため、電線の測定項目を追加したり変更したりする際の準備期間が長くなり、またコストが増大する可能性がある。
【０００７】
本考案の目的は、電線が設けられた環境に応じて、測定項目を任意に選択することが可能な電線用センサ装置およびセンサを提供することである。
【課題を解決するための手段】
【０００８】
本考案の一態様によれば、
電線の周囲を囲むように環状に設けられ、前記電線の軸方向側の側面に前記電線の周方向に沿って複数の第１センサ接続部が配置される第１フレーム部と、
前記電線の周囲を囲むように環状に設けられ、前記第１フレーム部から前記複数の第１センサ接続部側に離間して設けられ、前記第１フレーム部側の側面に前記複数の第１センサ接続部のそれぞれに対向する位置に複数の第２センサ接続部が配置される第２フレーム部と、
前記電線の挙動を監視する挙動監視センサと、前記電線の周囲の環境データを測定する環境測定センサと、の少なくともいずれか１つであり、一端が前記第１フレーム部の前記複数の第１センサ接続部のそれぞれの第１センサ接続部に着脱可能に接続され、他端が前記第２フレーム部の前記複数の第２センサ接続部のうち前記一端が接続された前記第１センサ接続部に対向する第２センサ接続部に着脱可能に接続されることにより、前記第１フレーム部および前記第２フレーム部によって挟持されるセンサと、
を有する
電線用センサ装置が提供される。
【０００９】
本考案の他の態様によれば、
上記態様に記載の電線用センサ装置に用いられる前記挙動監視センサおよび前記環境測定センサのいずれか１つである
センサが提供される。
【考案の効果】
【００１０】
本考案によれば、電線が設けられた環境に応じて、測定項目を任意に選択することが可能な電線用センサ装置およびセンサが提供される。
【図面の簡単な説明】
【００１１】
【図１】本考案の一実施形態に係る電線用センサ装置を示す斜視図である。
【図２】本考案の一実施形態に係る電線用センサ装置を示すブロック図である。
【考案を実施するための形態】
【００１２】
＜本考案の一実施形態＞
（１）電線用センサ装置の構造
本考案の一実施形態に係る電線用センサ装置１０について、図１及び図２を用いて説明する。図１は、本実施形態に係る電線用センサ装置を示す斜視図である。図２は、本実施形態に係る電線用センサ装置を示すブロック図である。
【００１３】
本実施形態に係る電線用センサ装置１０は、複数のセンサ２００のうち少なくとも１つが、第１フレーム部３００ａおよび第２フレーム部３００ｂに着脱可能に挟持されることにより、測定項目を任意に選択することができるように構成される。以下、詳細を説明する。
【００１４】
なお、本実施形態において電線用センサ装置１０が取り付けられる「電線１００」とは、例えば、架空送電線として鉄塔間に架線される鋼心アルミ撚り線（ＡＣＳＲ）、硬銅撚り線である。
【００１５】
（第１フレーム部および第２フレーム部）
図１に示されているように、電線用センサ装置１０は、電線１００の周囲を囲むように環状に設けられる第１フレーム部３００ａおよび第２フレーム部３００ｂを有する。第１フレーム部３００ａおよび第２フレーム部３００ｂのそれぞれは、電線１００の軸方向に沿って分割され、電線１００を挟持するように接合される。
【００１６】
具体的には、例えば、第１フレーム部３００ａおよび第２フレーム部３００ｂのそれぞれは、電線１００の中心軸を通る面で２分割されている。分割された第１フレーム部３００ａのそれぞれの両端は、ボルト３７０ａによって固定されることにより、第１フレーム部３００ａが電線１００を挟持するように接合される。また、第１フレーム部３００ａと同様にして、分割された第２フレーム部３００ｂのそれぞれの両端は、ボルト３７０ｂによって固定されることにより、第２フレーム部３００ｂが電線１００を挟持するように接合される。
【００１７】
第１フレーム部３００ａの電線１００の軸方向側の側面には、電線１００の周方向に沿って、複数の第１センサ接続部３３０ａが配置される。複数の第１センサ設置部３３０ａは、共通の形状で統一されており、具体的には、第１センサ接続部３３０ａは、例えばいわゆる丸型ピンコネクタとして構成される。また、第１センサ接続部３３０ａは、第１フレーム部３００ａの内部で後述する電力供給部４００に電気的に接続される。
【００１８】
第２フレーム部３００ｂは、第１フレーム部３００ａから複数の第１センサ接続部３３０ａ側に、後述するセンサ２００の長さ分だけ離間して設けられる。
【００１９】
また、第２フレーム部３００ｂの第１フレーム部３００ａ側の側面には、複数の第１センサ接続部３３０ａのそれぞれに対向する位置に、複数の第２センサ接続部３３０ｂが配置される。複数の第２センサ接続部３３０ｂは、共通の形状で統一されており、具体的には、第２センサ接続部３３０ｂは、例えば丸型ピンコネクタとして構成される。また、第２センサ接続部３３０ｂは、第２フレーム部３００ｂの内部で後述する送信部５００に電気的に接続される。
【００２０】
（センサ）
図１に示されているように、本体部３００のセンサ設置部３２０には、センサ２００が設置される。本実施形態でのセンサ２００は、電線１００の挙動を監視する挙動監視センサと、電線１００の周囲の環境データを測定する環境測定センサと、の少なくともいずれか１つである。
【００２１】
具体的には、挙動監視センサは、例えば、加速度センサ２１０、および角速度センサ２２０の少なくともいずれかである。また、環境測定センサは、例えば、腐食センサ２３０、および降雪センサ２４０の少なくともいずれかである。なお、後述する温度センサを環境測定センサに含めて考えても良い。
【００２２】
ここで、本実施形態の電線用センサ装置１０の第１フレーム部３００ａおよび第２フレーム部３００ｂに取り付け可能な、挙動監視センサとしての加速度センサ２１０および角速度センサ２２０や、環境測定センサとしての腐食センサ２３０および降雪センサ２４０等は、共通の形状で統一されている。
【００２３】
例えば、センサ２００は、電線１００の加速度、角速度、腐食および電線１００に対する降雪の少なくともいずれかを検知するセンサ素子（不図示）と、センサ素子を搭載し当該センサ素子を機能させる回路基板（不図示）と、長手方向の一端に設けられる第１端子２０２と、長手方向の他端に設けられる第２端子２０４と、を有する。各々のセンサ２００の外観上の形状は、各々のセンサ２００が上記した構成を有する状態で、共通の形状で統一されている。各々のセンサ２００の形状は、例えば、円柱状である。
【００２４】
センサ２００の長手方向の一端に設けられた第１端子２０２は、例えば丸型ソケットコネクタとして構成され、第１フレーム部３００ａの複数の第１センサ接続部３３０ａのそれぞれに着脱可能に接続される。
【００２５】
また、センサ２００の長手方向の他端に設けられた第２端子２０４は、例えば丸型ソケットコネクタとして構成され、第２フレーム部３００ｂの複数の第２センサ接続部３３０ｂのうち、第１端子２０２が接続された第１センサ接続部３３０ａに対向する第２センサ接続部３３０ｂに着脱可能に接続される。
【００２６】
これにより、センサ２００は、第１フレーム部３００ａおよび第２フレーム部３００ｂによって挟持される。一方で、電線１００の測定項目を変更する際には、第１センサ接続部３３０ａからセンサ２００の第１端子２０２を取り外し、第２センサ接続部３３０ｂからセンサ２００の第２端子２０４を取り外すことにより、第１フレーム部３００ａおよび第２フレーム部３００ｂからセンサ２００を容易に取り外すことができる。
【００２７】
図１および図２に示されているように、本実施形態では、例えば、加速度センサ２１０、角速度センサ２２０、腐食センサ２３０、および降雪センサ２４０の４つのセンサ２００が、第１フレーム部３００ａおよび第２フレーム部３００ｂによって挟持される。
【００２８】
加速度センサ２１０は、電線１００の変位量に応じて３軸方向の加速度を検出するよう構成される。加速度センサ２１０は、静電容量型またはピエゾ抵抗型のいずれかである。
【００２９】
角速度センサ２２０は、振動子を振動させて振動子に加わるコリオリ力から、電線の振動における角速度を検出するよう構成される。振動子は、例えば、水晶やセラミックスの圧電振動子、またはシリコンのＭＥＭＳ（Ｍｉｃｒｏ  Ｅｌｅｃｔｒｏ  Ｍｅｃｈａｎｉｃａｌ  Ｓｙｓｔｅｍｓ）などである。
【００３０】
加速度センサ２１０および角速度センサ２２０の少なくともいずれかのセンサ２００により、電線１００の振動（挙動）が検出される。例えば、電線用センサ装置１０が設置される電線１００の位置が予め加速度センサ２１０または角速度センサ２２０内に設定されており、電線１００の位置情報と、加速度または角速度と、に基づいて、電線１００の振動による振幅が検出される。
【００３１】
腐食センサ２３０は、例えば、ｐＨセンサである。ｐＨセンサは、大気中のｐＨを検出し、電線の腐食の原因とされる大気中の亜硫酸成分や硫黄成分などを検知するよう構成される。ｐＨセンサによる測定方法は、例えば、ガラス電極法、またはイオン応答電界効果トランジスタ（Ｉｏｎ  Ｓｅｎｓｉｔｉｖｅ  Ｆｉｅｌｄ  Ｅｆｆｅｃｔ  Ｔｒａｎｓｉｓｔｏｒ）を用いた半導体センサ法のいずれかである。
【００３２】
なお、腐食センサ２３０は、いわゆるＡＣＭ（Ａｔｍｏｓｐｈｅｒｉｃ  Ｃｏｒｒｏｓｉｏｎ  Ｍｏｎｉｔｏｒ）センサであってもよい。ＡＣＭセンサは、対象金属の基板上に絶縁層を介して異種金属を積層した構造を有する。ＡＣＭセンサは、降雨や結露によって両金属間に薄い水膜が形成されたときの電流を計測することにより、対象金属の腐食を検知するよう構成される。
【００３３】
降雪センサ２４０は、例えば、水分センサと、鉛直上向きに露出した温度センサと、を有する。降雪センサ２４０は、水分センサが水分による導通を検出し、且つ温度センサに雪が接触することによって温度センサが所定温度以下を検知したときに、降雪を検知するよう構成される。
【００３４】
また、図１および図２に示されているように、さらに、ＬＥＤ発光部２６０が、第１フレーム部３００ａおよび第２フレーム部３００ｂによって挟持される。ＬＥＤ発光部２６０が発光することにより、電線用センサ装置１０の位置を夜間でも確認することができる。また、ＬＥＤ発光部２６０は、センサ２００から受信したデータをパターン化して表示したり、外部との通信状態を表示したり、電線用センサ装置１０が電池を有する場合は電池の充放電の状態を表示したり、電線用センサ装置１０が可動である場合は電線用センサ装置１０の可動方向を表示したりすることができる。
【００３５】
（電力供給部）
図１および図２に示されているように、電線用センサ装置１０は、電力供給部４００を有する。電力供給部４００は、電線１００の周囲を囲むように環状に設けられる磁性体から成るカレントトランスコア４２０と、カレントトランスコア４２０に巻回されるコイル４４０と、を有し、電線１００からのコイル４４０に対する電磁誘導によって、電力を生じさせるよう構成される。これにより、電力供給部４００が小型化、および軽量化される。
【００３６】
図１に示されているように、電力供給部４００は、第１フレーム部３００ａ内に設けられる。これにより、電線用センサ装置１０が全体として小型化される。
【００３７】
また、カレントトランスコア４２０は、分割された第１フレーム部３００ａとともに電線１００の軸方向に沿って分割されている。カレントトランスコア４２０は、第１フレーム部３００ａが接合されたときに環状になるように構成される。
【００３８】
図２に示されているように、電力供給部４００は、第１フレーム部３００ａおよび第２フレーム部３００ｂに挟持された各々のセンサ２００およびＬＥＤ発光部２６０と、例えばＬＥＤ発光部２６０を介して後述する送信部５００と、に接続され、各々のセンサ２００、ＬＥＤ発光部２６０、および送信部５００に電力を供給する。
【００３９】
（送信部）
図２に示されているように、電線用センサ装置１０は、送信部５００を有する。送信部５００は、例えば第２フレーム部３００ｂ内に設けられ、第２フレーム部３００ｂの第２センサ接続部３３０ｂを介して各々のセンサ２００に接続される。送信部５００は、センサ２００からの信号に基づいて、各々のセンサ２００が測定した情報（データ）を常時または定期的に外部に送信するよう構成される。
【００４０】
（２）本実施形態に係る効果
本実施形態やその変形例によれば、以下に示す１つ又は複数の効果を奏する。
【００４１】
（ａ）本実施形態によれば、電線用センサ装置１０が有するセンサ２００は、挙動監視センサ（加速度センサ２１０および角速度センサ２２０等）および環境測定センサ（腐食センサ２３０および降雪センサ２４０等）の少なくともいずれか１つである。センサ２００の長手方向の一端に設けられた第１端子２０２は、第１フレーム部３００ａの複数の第１センサ接続部３３０ａのそれぞれに着脱可能に接続され、センサ２００の長手方向の他端に設けられた第２端子２０４は、第２フレーム部３００ｂの複数の第２センサ接続部３３０ｂのうち、第１端子２０２が接続される第１センサ接続部３３０ａに対向する第２センサ接続部３３０ｂに着脱可能に接続される。これにより、センサ２００は、第１フレーム部３００ａおよび第２フレーム部３００ｂによって挟持される。このような構成により、電線１００が設けられた環境に応じて、測定項目を任意に選択することができる。
【００４２】
ここで、比較例として、電線用センサ装置において特定のセンサが固定され、電線の測定項目が予め決められている場合について考える。
【００４３】
電線において必要とされる測定項目は、電線が設けられた環境によって異なり、または電線が設けられた環境によって変化するため、電線が設けられた環境に応じて、電線の測定項目を追加したり変更したりすることがある。
【００４４】
しかしながら、比較例では、電線の測定項目を追加するとき、新たに測定を行うためのセンサや、そのセンサに付随した回路基板を、既存のセンサとは別に増設しなくてはならない可能性がある。また、電線の測定項目を変更するとき、既存のセンサを付け替えるだけではセンサを機能させることができず、変更後のセンサに付随した回路基板を変更する必要が生じる可能性がある。このため、電線の測定項目を追加したり変更したりする際の準備期間が長くなり、またコストが増大する可能性がある。
【００４５】
これに対して、本実施形態によれば、上述のように、挙動監視センサおよび環境測定センサの少なくともいずれか１つのセンサ２００を、第１フレーム部３００ａおよび第２フレーム部３００ｂによって容易に着脱可能に挟持させることができる。
【００４６】
本実施形態では、例えば、電線１００の測定項目を追加するとき、空いた第１フレーム部３００ａの第１センサ接続部３３０ａおよび第２フレーム部３００ｂの第２センサ接続部３３０ｂのそれぞれに、新たに測定するためのセンサ２００の第１端子２０２および第２端子２０４を接続する。これにより、新たに測定するためのセンサ２００を、第１フレーム部３００ａおよび第２フレーム部３００ｂによって挟持させることができる。
【００４７】
また、例えば、電線１００の測定項目を変更するとき、第１フレーム部３００ａおよび第２フレーム部３００ｂによって挟持されたセンサ２００を取り外し、それによって空けられた第１フレーム部３００ａの第１センサ接続部３３０ａおよび第２フレーム部３００ｂの第２センサ接続部３３０ｂのそれぞれに、新たに測定するためのセンサ２００の第１端子２０２および第２端子２０４を接続する。これにより、新たに測定するためのセンサ２００を、第１フレーム部３００ａおよび第２フレーム部３００ｂによって挟持させることができる。
【００４８】
このようにして、本実施形態によれば、電線１００が設けられた環境に応じて、測定項目を任意に選択することができる。また、必要となるセンサ２００を予め常備しておくなどの体制を整えることにより、電線１００の測定項目を追加または変更する必要が生じたときに迅速に対応することができ、それに係るコストを削減することが可能となる。
【００４９】
（ｂ）本実施形態によれば、第１フレーム部３００ａの複数の第１センサ接続部３３０ａは、第１フレーム部３００ａの電線１００の軸方向側の側面に電線１００の周方向に沿って配置され、第２フレーム部３００ｂの複数の第２センサ接続部３３０ｂは、第２フレーム部３００ｂの第１フレーム部３００ａ側の側面に複数の第１センサ接続部３３０ａのそれぞれに対向する位置に配置される。複数のセンサ２００は、第１フレーム部３００ａおよび第２フレーム部３００ｂに挟持されるとき、電線１００の周囲を囲むように配置される。これにより、電線１００の所定の位置において、複数の測定を同時に行うことができる。
【００５０】
（ｃ）本実施形態によれば、第１フレーム部３００ａおよび第２フレーム部３００ｂによって挟持される挙動監視センサとしての加速度センサ２１０、および角速度センサ２２０や、環境測定センサとしての腐食センサ２３０、および降雪センサ２４０等は、共通の形状で統一されている。これにより、各々のセンサ２００を、任意の一対の第１フレーム部３００ａの第１センサ接続部３３０ａおよび第２フレーム部３００ｂの第２センサ接続部３３０ｂに容易に着脱することができる。また、各々のセンサ２００が接続される一対の第１フレーム部３００ａの第１センサ接続部３３０ａおよび第２フレーム部３００ｂの第２センサ接続部３３０ｂの位置を、容易に変更することができる。
【００５１】
（ｄ）本実施形態によれば、電線用センサ装置１０は、電線１００からのコイル４４０に対する電磁誘導によって電力を生じさせる電力供給部４００を有する。電力供給部４００は、各々のセンサ２００に接続され、各々のセンサ２００に電力を供給する。
【００５２】
ここで、比較例として、電力供給部が電池である場合について考える。比較例では、定期的に電池交換を行う必要がある。また、比較例では、電力供給部が大型化、および重量化する可能性がある。
【００５３】
これに対して、本実施形態では、電線１００からの電磁誘導によって、非接触で各々のセンサ２００に必要な電力を得ることができることにより、電池交換等の作業を省略することができ、また電力供給部４００を小型化、および軽量化することができる。
【００５４】
（ｅ）本実施形態によれば、第１フレーム部３００ａおよび第２フレーム部３００ｂによって、挙動監視センサとしての加速度センサ２１０および角速度センサ２２０の少なくともいずれかとともに、環境測定センサとしての降雪センサ２４０が挟持される。これにより、電線１００のギャロッピング振動を的確に把握することができる。
【００５５】
電線のギャロッピング振動とは、氷雪が付着した電線に風が吹き付けられることにより電線が鉛直上下方向に大振幅且つ低周波で振動する現象である。電線がギャロッピング振動をした場合、電線が相互に接触し短絡（線間短絡）する可能性がある。このため、停電やそれに伴う復旧作業などにより、電力を安定供給することが困難となる可能性がある。したがって、ギャロッピング振動の実態を把握することが、送電設備を保守するために重要となる。
【００５６】
ここで、比較例として、電線用センサ装置が電線の振動を検知することに特化されている場合について考える。
【００５７】
比較例において電線用センサ装置が設置された電線が振動したとき、電線の振動を検知するだけでは、電線の振動発生の原因が、単に強風による強制的な電線の振動であるのか、或いは、着雪によるギャロッピング振動であるのかを、即座に判別することが困難である可能性がある。
【００５８】
これに対して、本実施形態によれば、加速度センサ２１０および角速度センサ２２０の少なくともいずれかによって、電線１００の振動を検知するだけでなく、降雪センサ２４０によって電線１００への着雪も検知することができる。例えば、加速度センサ２１０および角速度センサ２２０の少なくともいずれかが電線１００の振動を検知した際に同時に降雪センサ２４０が電線１００への着雪を検知したとき、電線１００がギャロッピング振動をしていると判断することができる。このように、電線１００への着雪の有無を検知することによって電線１００のギャロッピング振動を的確に把握することができる。
【００５９】
＜本考案の他の実施形態＞
以上、本考案の実施形態について具体的に説明したが、本考案は上述の実施形態に限定されるものではなく、その要旨を逸脱しない範囲で種々変更可能である。
【００６０】
上述の実施形態では、加速度センサ２１０、角速度センサ２２０、腐食センサ２３０、および降雪センサ２４０の４つのセンサ２００が、第１フレーム部３００ａおよび第２フレーム部３００ｂに取り付けられる場合について説明したが、その他、環境測定センサとしての温度センサが第１フレーム部および第２フレーム部に取り付けられてもよい。
【００６１】
また、上述の実施形態では、電力供給部４００がカレントトランスコア４２０を有し、電線からの電磁誘導によって電力を生じさせるよう構成される場合について説明したが、電力供給部は太陽電池を有し、太陽光によって電力を生じさせるよう構成されていてもよい。
【００６２】
また、上述の実施形態では、電線用センサ装置１０はセンサ２００が測定した情報を外部に送信する送信部５００を有する場合について説明したが、電線用センサ装置はセンサが測定した情報を記録するフラッシュメモリなどの記録部を有していてもよい。
【００６３】
また、上述の実施形態では、送信部５００のみが設けられる場合について説明したが、電線用センサ装置は、センサをオンまたはオフさせるための信号を外部から受信する受信部を有していてもよい。また、電線用センサ装置は、センサが測定した情報を外部に送信するよう送信部を制御し、または受信部が受信した信号に基づいてセンサを起動するよう制御する制御部を有していてもよい。
【００６４】
また、上述の実施形態では、センサ２００の第２端子２０４は、丸型ソケットコネクタとして構成され、第２フレーム部３００ｂの第２センサ接続部３３０ｂに電気的に接続される場合について説明したが、センサの第２端子は、第２フレーム部の第２センサ接続部に電気的に接続されていなくてもよく機械的に連結されるだけであってもよい。
【符号の説明】
【００６５】
１０  電線用センサ装置
１００  電線
２００  センサ
２０２  第１端子
２０４  第２端子
２１０  加速度センサ
２２０  角速度センサ
２３０  腐食センサ
２４０  降雪センサ
２６０  ＬＥＤ発光部
３００ａ  第１フレーム部
３００ｂ  第２フレーム部
３３０ａ  第１センサ接続部
３３０ｂ  第２センサ接続部
３７０ａ，３７０ｂ  ボルト
４００  電力供給部
４２０  カレントトランスコア
４４０  コイル
５００  送信部
【図１】
0003194296.tif 000003
【図２】
0003194296.tif 000004